(57)【特許請求の範囲】
【請求項１】
サーバから受信したＶＯＤコンテンツを再生可能な再生装置において、
ユーザの指示を入力部から受け付ける指示受付手段と、
上記ＶＯＤコンテンツを録画するか否かを上記入力部の操作によりユーザが指示することを可能にするユーザインターフェースを表示部に表示する表示手段と、
上記指示受付手段が録画する旨の指示を受け付けた場合に、上記ＶＯＤコンテンツを記憶部に録画する録画手段と、
上記ＶＯＤコンテンツが上記記憶部に録画可能なコンテンツであるか否かを判定する判定手段と、を備え、
上記表示手段は、上記指示受付手段がコンテンツ選択画面に表示されたＶＯＤコンテンツの中から再生対象コンテンツを選択するユーザ指示を受け付けた時点で、上記再生対象コンテンツとして選択されたＶＯＤコンテンツが上記判定手段によって録画可能なコンテンツであると判定された場合に、上記ユーザインターフェースを上記表示部に表示する、ことを特徴とする再生装置。
【請求項２】
上記指示受付手段が上記録画する旨の指示を受け付けた場合に、上記録画手段は、当該ＶＯＤコンテンツを上記記憶部に録画することを特徴とする請求項１に記載の再生装置。
【請求項３】
上記表示手段は、上記ＶＯＤコンテンツが上記判定手段によって録画可能なコンテンツであると判定された場合に限り、上記ユーザインターフェースを表示する、ことを特徴とする請求項１または２に記載の再生装置。
【請求項４】
上記表示手段は、上記ＶＯＤコンテンツが上記判定手段によって録画不可能なコンテンツであると判定された場合に、録画が不可能である旨を上記表示部に表示する、ことを特徴とする請求項１または２に記載の再生装置。
【請求項５】
上記指示受付手段が再生する旨の指示を受け付けた場合、上記ＶＯＤコンテンツの再生と録画とを同時に開始する自動録画手段をさらに備えていることを特徴とする請求項１から４のいずれか１項に記載の再生装置。
【請求項６】
上記指示受付手段は、上記ＶＯＤコンテンツの録画を、該ＶＯＤコンテンツの再生を開始する時点で自動的に開始する旨の指示を受付可能であり、
上記自動録画手段は、上記指示受付手段が当該指示をすでに受け付けており、かつ、上記指示受付手段が上記再生する旨の指示を受け付けた場合に限り、上記ＶＯＤコンテンツの再生と録画とを同時に開始することを特徴とする請求項５に記載の再生装置。
【請求項７】
上記ユーザインターフェースは上記ＶＯＤコンテンツの録画を指定した録画予約日時に開始するか否かをユーザに選択させるためのユーザインターフェースであり、
上記指示受付手段が上記指定した録画予約日時に録画を開始する旨の指示を受け付けた場合、上記録画手段は、上記録画予約日時になった時点から上記ＶＯＤコンテンツの録画を開始することを特徴とする請求項１から６のいずれか１項に記載の再生装置。
【請求項８】
上記指示受付手段がＶＯＤコンテンツを再生する旨の指示を受け付けた時点から該ＶＯＤコンテンツの再生を開始するようになっており、
上記指示受付手段が録画する旨の指示を受け付けた場合に上記録画手段に上記ＶＯＤコンテンツの先頭から録画を開始させるか、または、上記録画手段に当該指示を受け付けた時点における再生位置から上記ＶＯＤコンテンツの録画を開始させるか、の選択指示を上記指示受付手段が受付可能であることを特徴とする請求項１から７のいずれか１項に記載の再生装置。
【請求項９】
上記ユーザインターフェースを表示するか否かについての選択指示を上記指示受付手段が受付可能であることを特徴とする請求項１から８のいずれか１項に記載の再生装置。
【請求項１０】
サーバから受信したＶＯＤコンテンツを再生可能な再生装置の録画方法において、
ユーザの指示を入力部から受け付ける指示受付工程と、
上記ＶＯＤコンテンツを録画するか否かを上記入力部の操作によりユーザが指示することを可能にするユーザインターフェースを表示部に表示する表示工程と、
上記指示受付工程にて録画する旨の指示を受け付けた場合に、上記ＶＯＤコンテンツを記憶部に録画する録画工程と、
上記ＶＯＤコンテンツが上記記憶部に録画可能なコンテンツであるか否かを判定する判定工程と、を含み、
上記表示工程は、上記指示受付工程においてコンテンツ選択画面に表示されたＶＯＤコンテンツの中から再生対象コンテンツを選択するユーザ指示を受け付けた時点で、上記再生対象コンテンツとして選択されたＶＯＤコンテンツが上記判定工程において録画可能なコンテンツであると判定された場合に、上記ユーザインターフェースを上記表示部に表示する、ことを特徴とする録画方法。
【請求項１１】
請求項１から９の何れか１項に記載の再生装置が備えているコンピュータを動作させるプログラムであって、上記コンピュータを上記再生装置の各手段として機能させるためのプログラム。
【請求項１２】
請求項１１に記載のプログラムが記録された、コンピュータが読み取り可能な記録媒体。
【発明の詳細な説明】
【技術分野】
【０００１】
本発明は、主に、ＶＯＤコンテンツを再生可能な再生装置、及び、そのような再生装置におけるＶＯＤコンテンツの録画方法に関する。
【背景技術】
【０００２】
近年、ビデオ・オン・デマンド（ＶＯＤ）サービスによりＶＯＤコンテンツを提供する業者が増えてきている。
【０００３】
ＶＯＤサービスは、ユーザが視聴したい時に様々なコンテンツを視聴する事ができるサービスであり、従来の放送サービスでは不可能な、受信するコンテンツの選択や、受信中のコンテンツの再生動作の操作（例えば、一時停止、早送り、巻戻し）などを可能にするサービスである。
【０００４】
このように、ＶＯＤサービスは、ユーザにとって利便性が高く、需要の高いサービスであることから、ＶＯＤコンテンツを再生可能なハードウェアとして、コンピュータだけでなく、テレビジョン受像機（テレビ）が使用されるようになってきている。このようなテレビには、例えば、非特許文献１に開示されているような技術が用いられている。すなわち、ネットワークに接続することによって、ＶＯＤコンテンツを記録しているＶＯＤサーバから受信したＶＯＤコンテンツのストリームデータをテレビで再生する技術である。
【先行技術文献】
【非特許文献】
【０００５】
【非特許文献１】山下盛司、外６名、「次世代ＩＰＴＶにおけるＶＯＤ技術」、ＮＴＴ技術ジャーナル、日本電信電話株式会社、平成１８年６月、vol.18 No.8、p.15―18
【発明の概要】
【発明が解決しようとする課題】
【０００６】
ＶＯＤコンテンツを受信し、再生することのできるテレビが提供され始めたことで、さらに、受信したＶＯＤコンテンツの録画を行うことが求められ始めてきている。
【０００７】
しかしながら、ＶＯＤコンテンツを再生するだけでなく録画も行おうとする場合、ＶＯＤコンテンツを再生する再生装置においてコンテンツの再生を開始させるための操作を行うだけでなく、再生装置と接続された録画装置においてコンテンツの録画を開始させるための操作を行わなければならず、操作性が悪いという問題があった。
【０００８】
本発明は、上記の課題を解決するためになされたものであり、その主たる目的は、ユーザが容易に、ＶＯＤコンテンツの録画に関する操作を行うことができる再生装置を提供することにある。
【課題を解決するための手段】
【０００９】
本発明に係る再生装置は、上記課題を解決するために、サーバから受信したＶＯＤコンテンツを再生可能な再生装置において、ユーザの指示を入力部から受け付ける指示受付手段と、上記ＶＯＤコンテンツを録画するか否かを上記入力部の操作によりユーザが指示することを可能にするユーザインターフェースを表示部に表示する表示手段と、上記指示受付手段が録画する旨の指示を受け付けた場合に、上記ＶＯＤコンテンツを記憶部に録画する録画手段と、を備えていることを特徴としている。
【００１０】
上記の構成によれば、再生装置は、ＶＯＤコンテンツを録画する録画機能を有している。そして、再生装置は、ＶＯＤコンテンツを録画するか否かを上記入力部の操作によりユーザが指示することを可能にするユーザインターフェースを表示部に表示する。
【００１１】
したがって、本発明に係る再生装置は、ユーザが容易に、ＶＯＤコンテンツの録画に関する操作を行うことができるという効果を奏する。
【００１２】
本発明に係る録画方法は、上記課題を解決するために、サーバから受信したＶＯＤコンテンツを再生可能な再生装置の録画方法において、ユーザの指示を入力部から受け付ける指示受付工程と、上記ＶＯＤコンテンツを録画するか否かを上記入力部の操作によりユーザが指示することを可能にするユーザインターフェースを表示部に表示する表示工程と、上記指示受付工程にて録画する旨の指示を受け付けた場合に、上記ＶＯＤコンテンツを記憶部に録画する録画工程と、を含んでいることを特徴としている。
【００１３】
上記の構成によれば、本発明に係る録画方法は、本発明に係る再生装置と同様の作用効果を奏する。
【００１４】
本発明に係る再生装置は、上記指示受付手段が上記ＶＯＤコンテンツを再生する旨の指示を受け付けた場合に、上記表示手段が上記ユーザインターフェースを表示し、上記指示受付手段が上記録画する旨の指示を受け付けた場合に、上記録画手段が、当該ＶＯＤコンテンツを上記記憶部に録画することが望ましい。
【００１５】
上記の構成によれば、再生装置は、ＶＯＤコンテンツを再生する旨の指示を受け付けた場合に、当該ＶＯＤコンテンツを上記記憶部に録画するか否かをユーザが指示することを可能にするユーザインターフェースを表示する。
【００１６】
すなわち、再生装置は、録画指示以外の指示を契機としてＶＯＤコンテンツを上記記憶部に録画するか否かをユーザが指示することを可能にするユーザインターフェースを表示する。
【００１７】
これにより、再生装置は、録画操作による煩わしさを軽減することができるというさらなる効果を奏する。
【００１８】
本発明に係る再生装置は、上記指示受付手段が上記再生する旨の指示を受け付けた時点で、上記表示手段が、上記ユーザインターフェースを上記表示部に表示することが望ましい。
【００１９】
上記の構成によれば、再生装置は、再生する旨の指示を受け付けた時点で、録画するか否かをユーザが指示することを可能にするユーザインターフェースを表示するので、ユーザがすぐに録画を指示すれば、再生するＶＯＤコンテンツの略全体を録画することができるというさらなる効果を奏する。
【００２０】
本発明に係る再生装置は、上記ＶＯＤコンテンツが上記記憶部に録画可能なコンテンツであるか否かを判定する判定手段をさらに備え、上記ＶＯＤコンテンツが上記判定手段によって録画可能なコンテンツであると判定された場合に限り、上記表示手段が上記ユーザインターフェースを表示する、ことが望ましい。
【００２１】
上記の構成によれば、再生装置は、ＶＯＤコンテンツが上記判定手段によって録画可能なコンテンツであると判定されなかった場合には、録画するか否かをユーザが指示することを可能にするユーザインターフェースを表示しない。
【００２２】
したがって、再生装置は、録画不可能なＶＯＤコンテンツについて録画指示を行ってしまうというユーザの無駄な操作を確実に防ぐことができるというさらなる効果を奏する。
【００２３】
本発明に係る再生装置は、上記ＶＯＤコンテンツが上記記憶部に録画可能なコンテンツであるか否かを判定する判定手段をさらに備え、上記表示手段は、上記ＶＯＤコンテンツが上記判定手段によって録画不可能なコンテンツであると判定された場合に、録画が不可能である旨を上記表示部に表示する、ことが望ましい。
【００２４】
上記の構成によれば、再生装置は、録画が不可能なＶＯＤコンテンツについては録画が不可能である旨を表示部に表示する。
【００２５】
したがって、録画不可能なＶＯＤコンテンツについて録画指示を行ってしまうというユーザの無駄な操作を略防ぐことができるというさらなる効果を奏する。
【００２６】
本発明に係る再生装置は、上記指示受付手段が上記再生する旨の指示を受け付けた場合、上記ＶＯＤコンテンツの再生と録画とを同時に開始する自動録画手段をさらに備えていることが望ましい。
【００２７】
上記の構成によれば、再生装置は、ＶＯＤコンテンツを再生する旨の指示を受け付けると、ＶＯＤコンテンツの再生と録画とを同時に開始する。
【００２８】
したがって、再生装置は、ＶＯＤコンテンツを再生するたびにユーザに録画指示をさせる手間をかけることなく、ＶＯＤコンテンツを録画することができるというさらなる効果を奏する。
【００２９】
本発明に係る再生装置は、上記指示受付手段が、上記ＶＯＤコンテンツの録画を、該ＶＯＤコンテンツの再生を開始する時点で自動的に開始する旨の指示を受付可能であり、上記自動録画手段は、上記指示受付手段が当該指示をすでに受け付けており、かつ、上記指示受付手段が上記再生する旨の指示を受け付けた場合に限り、上記ＶＯＤコンテンツの再生と録画とを同時に開始することが望ましい。
【００３０】
上記の構成によれば、再生装置は、録画を自動的に開始する旨の指示を受け付けている状態で、ＶＯＤコンテンツを再生する旨の指示を受け付けると、ＶＯＤコンテンツの再生と録画とを同時に開始する。
【００３１】
したがって、再生装置は、ＶＯＤコンテンツの再生と同時に録画を開始するか否かをユーザに選択させることができるというさらなる効果を奏する。
【００３２】
本発明に係る再生装置では、上記ユーザインターフェースは上記ＶＯＤコンテンツの録画を指定した録画予約日時に開始するか否かをユーザに選択させるためのユーザインターフェースであり、上記指示受付手段が上記指定した録画予約日時に録画を開始する旨の指示を受け付けた場合、上記録画手段は、上記録画予約日時になった時点から上記ＶＯＤコンテンツの録画を開始することが望ましい。
【００３３】
上記の構成によれば、再生装置は、ＶＯＤコンテンツの録画予約をすることができるというさらなる効果を奏する。
【００３４】
本発明に係る再生装置では、上記指示受付手段がＶＯＤコンテンツを再生する旨の指示を受け付けた時点から該ＶＯＤコンテンツの再生を開始するようになっており、上記指示受付手段が録画する旨の指示を受け付けた場合に上記録画手段に上記ＶＯＤコンテンツの先頭から録画を開始させるか、または、上記録画手段に当該指示を受け付けた時点における再生位置から上記ＶＯＤコンテンツの録画を開始させるか、の選択指示を上記指示受付手段が受付可能であることが望ましい。
【００３５】
上記の構成によれば、再生装置は、ＶＯＤコンテンツの先頭から録画するか、現在の再生位置からＶＯＤコンテンツを録画するかを、ユーザに選択させることができる。
【００３６】
したがって、ユーザが、ＶＯＤコンテンツ全体を録画したい場合およびＶＯＤコンテンツ全体のうち興味のある部分のみを録画したい場合のどちらであっても、それに応じた適切な選択指示を予め出しておけば、再生装置は、ユーザが所望する録画データを効率よく生成することができるというさらなる効果を奏する。
【００３７】
本発明に係る再生装置は、上記ユーザインターフェースを表示するか否かの選択指示を上記指示受付手段が受付可能であることが望ましい。
【００３８】
上記の構成によれば、再生装置は、ＶＯＤコンテンツを録画するか否かをユーザが指示ことを可能にするユーザインターフェースについて、表示するか否かをユーザに選択させることができる。
【００３９】
これにより、再生装置は、ＶＯＤコンテンツを録画するつもりがないユーザが感じる煩わしさ、すなわち、ＶＯＤコンテンツを再生するたびに上記ユーザインターフェースを確認しなければならないという煩わしさを解消することができるというさらなる効果を奏する。
【００４０】
また、本発明に係る再生装置を動作させるためのプログラムであって、コンピュータを上記の各手段として機能させることを特徴とするプログラム、および、そのプログラムを記録したコンピュータ読み取り可能な記録媒体も本発明の範疇に含まれる。
【発明の効果】
【００４１】
以上のように、本発明に係る再生装置は、ＶＯＤコンテンツのユーザに容易に、録画に関する操作をさせることができるという効果を奏する。
【図面の簡単な説明】
【００４２】
【図１】本発明の一実施形態に係るテレビの構成を示すブロック図である。
【図２】再生するコンテンツを録画するか否かを選択するためのユーザインターフェースの一例を示す図である。
【図３】上記ユーザインターフェースの他の例を示す図である。
【図４】本発明の一実施形態に係るテレビの動作を示すフローチャートである。
【図５】録画が不可能なコンテンツを再生するか否かを選択するための画面（再生選択画面）の一例を示す図である。
【図６】上記実施形態に係るテレビの動作の変形例を示すフローチャートである。
【図７】上記実施形態に係るテレビの動作の別の変形例を示すフローチャートである。
【図８】本実施形態に係るテレビの各設定を行うためのメニュー画面の一例を示す図である。
【図９】ＶＯＤコンテンツの録画処理を行うか否かを設定するためのメニュー画面の一例を示す図である。
【図１０】上記実施形態に係るテレビ動作のさらに別の変形例を示すフローチャートである。
【発明を実施するための形態】
【００４３】
本発明の一実施形態に係るＶＯＤ再生装置について、図１から図５を参照して説明すれば、以下のとおりである。なお、本実施形態に係るＶＯＤ再生装置は、テレビジョン受像機（テレビ）にて実現されているため、以下これをテレビと呼称する。
【００４４】
まず、本実施形態に係るテレビ１００（ＶＯＤ再生装置）の構成について、図１から図３を参照して説明する。図１は、本実施形態に係るテレビ１００の構成を示すブロック図である。図２は、録画を行うためのユーザインターフェースの一例を示す図である。図３は、録画を行うためのユーザインターフェースの他の例を示す図である。
【００４５】
図１に示すよぅに、テレビ１００は、通信部１０、ＶＯＤプレーヤ部２０、著作権管理部３０、録画制御部４０、記録部５０、ユーザインターフェース部６０、コンテンツナビゲーション部７０、及び、表示部８０を備えている。
【００４６】
通信部１０は、外部のサーバ（図示せず）からネットワークを介して、再生するコンテンツを選択するための画面であるコンテンツ選択画面のデータや、コンテンツ選択画面に表示されるＶＯＤコンテンツのうちユーザによって選択されたＶＯＤコンテンツ（以降、「再生対象コンテンツ」と呼称する）に関する再生制御メタファイル（詳細については後述する）、ＶＯＤライセンス、ストリームデータなどを受信する。ここで、ＶＯＤライセンスには、コンテンツの暗号鍵であるコンテンツ鍵と、信号出力制限およびコピー制限に関する情報と、が含まれており、コピー制限に関する情報は、再生対象コンテンツが「コピーフリー」「コピーワンス」および「コピーネバー」のいずれかであることを示している。
【００４７】
ＶＯＤプレーヤ部２０は、再生対象コンテンツのストリームデータの再生や、再生対象コンテンツの記録部５０への録画を行う。また、ＶＯＤプレーヤ部２０は、外部のＶＯＤサーバ（図示せず）から取得した再生制御メタファイルに基づいて再生対象コンテンツが暗号化されているか否かを判定する。
【００４８】
著作権管理部３０は、外部のライセンスサーバ（図示せず）から取得したＶＯＤライセンスに基づいて再生対象コンテンツがコピーネバーであるか否かを判定する。
【００４９】
録画制御部４０は、ＶＯＤプレーヤ部２０及び著作権管理部３０から通知される判定結果に基づいて、再生対象コンテンツが録画可能なコンテンツであるか否かを判定する。具体的には、録画制御部４０は、再生対象コンテンツが暗号化されていないという判定結果の通知を受けた場合、または、再生対象コンテンツがコピーネバーでないという判定結果の通知を受けた場合に、録画可能であると判定し、いずれでもない場合に録画不可能と判定する。
【００５０】
記録部５０は、ＶＯＤプレーヤ部２０によりＶＯＤコンテンツが録画される記録媒体である。
【００５１】
ユーザインターフェース部６０は、リモコン（入力部）の操作などによって入力されるユーザの指示（ユーザ指示）を取得する。ユーザ指示には、例えば、コンテンツ選択画面を表示させるナビゲーション起動指示、再生対象コンテンツを録画する旨の指示である録画指示などが挙げられる。
【００５２】
また、ユーザインターフェース部６０は、再生対象コンテンツの録画確認画面を表示部８０に表示する。録画確認画面は、ユーザが録画をするか否かを選択するための画面であり、一例として図２に示すような画面が挙げられる。
【００５３】
また、ユーザインターフェース部６０は、各種設定を行うためのメニュー画面を表示する。なお、メニュー画面については後述する。
【００５４】
コンテンツナビゲーション部７０は、コンテンツ選択画面やＶＯＤプレーヤ部３０が再生している再生対象コンテンツを表示部８０に表示する。コンテンツナビゲーション部７０を実現するアプリケーションとしては、例えば、ＨＴＭＬブラウザや、ＢＭＬブラウザ、ＥＣＧなどを挙げることができる。
【００５５】
表示部８０は、コンテンツ選択画面や再生対象コンテンツ、録画確認画面などを表示する。
【００５６】
以上、テレビ１００の構成について説明したが、再生制御メタファイルについて、以下に説明しておくことにする。
【００５７】
（再生制御メタファイルについて）
再生制御メタファイルは、ＥＲＩ（エントリリソース情報：Entry Resource Information）、ＬＬＩ(ライセンスリンク情報：License Link Information)、ＮＣＩ(通信コンテンツ再生制御情報：Network control Content Information)などの制御リソースが含まれているファイルである。
【００５８】
ＥＲＩは、a)再生対象コンテンツ本体の参照先（エントリ情報）、b)再生対象コンテンツが暗号化コンテンツであるか否かの識別情報（以下、「暗号化識別情報」と呼称する）、c)再生対象コンテンツのタイトル等の詳細情報、テレビ１００がチャプタ再生を行うための情報、d)事前通知の制御情報としての映像信号の属性情報、e)事前通知の制御情報及び選択音声の表示用情報としての音声信号の属性情報、および、f)選択字幕の表示用情報としての、字幕信号の属性情報が含まれている。
【００５９】
また、ＬＬＩには、a)再生対象コンテンツのライセンスの取得に必要な情報、b)ライセンス取得先のライセンスサーバを特定する情報、およびc)再生対象コンテンツのライセンスの利用条件情報が含まれている。
【００６０】
さらに、ＮＣＩには、a)ストリーミングプロトコルの識別情報、b)FEC（前方誤り訂正）方式及びパラメータの識別情報、c)再生対象コンテンツに対して可能な可変速再生の方式（早送り、巻き戻し等）および倍速値の情報、d)ストリーミングのビットレート情報、およびe)HTTPストリーミングで特有の諸パラメータが含まれている。
【００６１】
（ＶＯＤ再生装置の動作例）
次に、テレビ１００の動作について、図４及び図５を参照して説明する。図４は、テレビ１００の動作を示すフローチャートである。図５は、コンテンツを再生するかどうかをユーザに確認するためのユーザインターフェースの一例を示す図である。
ユーザインターフェース部６０が、ナビゲーション起動指示を受け付け、コンテンツナビゲーション部７０に通知すると、図４に示すように、コンテンツナビゲーション部７０は、コンテンツ選択画面を表示部８０に表示する（ステップＳ１）。
【００６２】
次に、ユーザインターフェース部６０は、コンテンツ選択画面に表示されたＶＯＤコンテンツの中から再生対象コンテンツを選択するユーザ指示を受け付け、コンテンツナビゲーション部７０に通知する（ステップＳ２）。
【００６３】
通知に基づき、コンテンツナビゲーション部７０が再生対象コンテンツを再生するようＶＯＤプレーヤ部２０に要求すると、ＶＯＤプレーヤ部２０は、通信部１０を介して、再生対象コンテンツに関する再生制御メタファイルを外部のＶＯＤサーバから取得する（ステップＳ３）。
【００６４】
再生制御メタファイルを取得すると、ＶＯＤプレーヤ部２０は、取得した再生制御メタファイルに含まれる暗号化識別情報に基づいて、再生対象コンテンツが暗号化されているか否かを判定する（ステップＳ４）。
【００６５】
再生対象コンテンツが暗号化されていると判定された場合（ステップＳ４においてＹＥＳ）、ＶＯＤプレーヤ部２０は、暗号化された再生対象コンテンツについてＶＯＤライセンスをライセンスサーバから取得するよう著作権管理部３０に要求する処理（以下、「ライセンス取得要求」と呼称する）を行う。ライセンス取得要求を受け付けた著作権管理部３０は、再生制御メタファイルのＬＬＩを参照して取得するＶＯＤライセンスが保存されているライセンスサーバを特定し、通信部１０を介して、特定したライセンスサーバからＶＯＤライセンスを取得する（ステップＳ５）。
【００６６】
ＶＯＤライセンスを取得すると、著作権管理部３０は、取得したＶＯＤライセンスに含まれるライセンス情報に基づいて、再生対象コンテンツがコピーネバーであるか否かを判定する（ステップＳ６）。
【００６７】
再生対象コンテンツが、暗号化されていないと判定された場合（ステップＳ４においてＮＯ）、又は、コピーネバーでないと判定された場合（ステップＳ６においてＮＯ）、判定結果を受け付けた録画制御部４０は、再生対象コンテンツの録画確認画面を表示するようユーザインターフェース部６０に要求し、ユーザインターフェース部６０は、表示部８０に、要求された録画確認画面を表示するとともに、ユーザ指示を受け付けるまで待機する（ステップＳ７）。
【００６８】
ユーザインターフェース部６０は、ユーザ指示を受け付けると、受け付けたユーザ指示が録画を行う旨のユーザ指示（録画指示）であるか録画を行わない旨の指示であるかを判定する（ステップＳ８）。
【００６９】
録画指示であると判定された場合（ステップＳ８においてＹＥＳ）、ユーザインターフェース部６０は、録画指示を録画制御部４０に供給し、録画制御部４０は、ＶＯＤプレーヤ部２０に再生対象コンテンツのストリームデータを記憶部５０に録画するようＶＯＤプレーヤ部２０に指示する。ＶＯＤプレーヤ部２０は、再生対象コンテンツのストリームデータを再生する処理（再生処理）を開始するとともに、記録部５０に録画する処理（録画処理）を行う（ステップＳ９）。
【００７０】
再生対象コンテンツがコピーネバーであると判定された場合（ステップＳ６においてＹＥＳ）、録画を行わない旨の指示を受け付けた場合（ステップＳ８においてＮＯ）、又は、再生処理及び録画処理が終了した場合、コンテンツナビゲーション部７０は、コンテンツナビゲーションを終了する（ステップＳ１０）。
【００７１】
なお、録画可能なコンテンツでないと判定された場合に、コンテンツナビゲーションを終了する構成を示したが、これに限定されるものではなく、例えば、録画処理を行うことなく再生処理を行う構成を採用してもよい。また、図５に示すように、録画可能でないＶＯＤコンテンツについて再生処理を行うか否かを問い合わせる再生選択画面を表示し、ユーザ指示に従って、再生処理を行うか否かを決定する構成を採用してもよい。
【００７２】
なお、上記の構成では、録画確認画面を表示するタイミングがコンテンツの再生を開始する前であったが、表示するタイミングはこれに限定されるものではない。すなわち、録画確認画面を表示するのと同時にコンテンツの再生を開始してもよいし、コンテンツの再生を開始した後、再生中に録画確認画面を表示するようにしてもよい。
【００７３】
また、この場合、図２に示す録画確認画面の代わりに、図３に示す「録画する」のボタン（以下、「録画開始ボタン」と呼称する）を表示するようにしてもよい。
【００７４】
さらに、ユーザによって録画することが選択された場合に、ＶＯＤコンテンツの冒頭部分から再生をやり直すとともに冒頭部分から録画を行ってもよいし、録画することが選択された時点以降に再生する部分についてのみ録画を行ってもよい。また、どちらのやり方で録画するかを選択することのできる構成としてもよい。
【００７５】
なお、録画指示がされた場合に、再生処理と録画処理とを並行して行う構成を示したが、これに限定されるものではなく、例えば、再生処理を行わず、録画処理のみを行う構成を採用してもよい。
【００７６】
なお、上述したテレビ１００の動作は、本実施形態に係るテレビ１００の動作の一例に過ぎない。本実施形態に係るテレビ１００の他の動作例を、変形例１〜３として以下に説明する。
【００７７】
〔変形例１〕
上述したテレビ１００は、再生するＶＯＤコンテンツを選択した後に録画確認画面を表示するものであった。本変形例では、テレビ１００は、再生するＶＯＤコンテンツを選択する前に予めコンテンツを自動録画するか否かの設定を受け付ける。そして、テレビ１００は、自動録画する設定になっている状態でＶＯＤコンテンツを再生すると、同時にＶＯＤコンテンツを録画するようになっている。
【００７８】
テレビ１００の本変形例に係る動作について図６、図８および図９を参照して説明する。図６は、テレビ１００の変形例１に係る動作を示すフローチャートである。また、図８は、テレビ１００の各種設定を行うためのメニュー画面の一例を示しており、図９は、ＶＯＤコンテンツの自動録画処理を行うか否かを設定するメニュー画面（ＶＯＤ録画設定画面）の一例を示している。
【００７９】
図８のメニュー画面が表示部８０に表示されている状態で、ユーザインターフェース部６０がＶＯＤ録画設定の選択指示を受け付けると、ユーザインターフェース部６０は、図９のメニュー画面を表示部８０に表示し、自動録画を行うか否かのユーザ指示を受け付ける（ステップＳ１１）。
【００８０】
次に、ステップＳ１の処理と同様、コンテンツナビゲーション部７０は、ナビゲーション起動指示に従って、コンテンツ選択画面を表示する（ステップＳ１２）。
【００８１】
次に、ユーザインターフェース部６０は、コンテンツ選択画面に表示されたＶＯＤコンテンツの中から再生対象コンテンツを選択するユーザ指示を受け付け、コンテンツナビゲーション部７０に通知する（ステップＳ１３）。
【００８２】
通知を受けたコンテンツナビゲーション部７０は、ＶＯＤプレーヤ部２０に再生対象メコンテンツを再生するよう要求し、ＶＯＤプレーヤ部２０は、通信部１０を介して再生対象コンテンツに関する再生制御メタファイルを外部のＶＯＤサーバから取得する（ステップＳ１４）。
【００８３】
再生制御メタファイルを取得すると、ＶＯＤプレーヤ部２０は、取得した再生制御メタファイルに含まれる暗号化識別情報に基づいて、選択されたＶＯＤコンテンツが暗号化されているか否かを判定する（ステップＳ１５）。
【００８４】
選択されたＶＯＤコンテンツが暗号化されていると判定された場合（ステップＳ１５においてＹＥＳ）、ＶＯＤプレーヤ部２０は、著作権管理部３０にライセンス取得要求を行い、ライセンス取得要求を受け付けた著作権管理部３０は、通信部１０を介して再生対象コンテンツに関するＶＯＤライセンスを、ステップＳ５で説明した方法と同様の方法で特定したライセンスサーバから取得する（ステップＳ１６）。
【００８５】
ＶＯＤライセンスを取得すると、著作権管理部３０は、取得したＶＯＤライセンスに含まれるライセンス情報に基づいて、選択されたコンテンツがコピーネバーであるか否かを判定する（ステップＳ１７）。
【００８６】
選択されたＶＯＤコンテンツが、暗号化されていないと判定された場合（ステップＳ１５においてＮＯ）、又は、コピーネバーでない（すなわち、コピーフリーまたはコピーワンスである）と判定された場合（ステップＳ１７においてＮＯ）、判定結果を受け付けた録画制御部４０は、ステップＳ１１においてユーザインターフェース部６０が自動録画をする旨のユーザ指示を受け付けていたか否かを確認する（ステップＳ１８）。
【００８７】
自動録画をする旨のユーザ指示を受け付けていた場合（ステップＳ１８においてＹＥＳ）、録画制御部４０は、再生対象コンテンツのストリームデータを再生すると同時に記憶部５０に録画するようＶＯＤプレーヤ部２０に指示する。指示を受けたＶＯＤプレーヤ部２０は、再生対象コンテンツの再生処理を開始するのと同時に、録画処理を開始する（ステップＳ１９）。
【００８８】
再生対象コンテンツがコピーネバーであると判定された場合（ステップＳ１７においてＹＥＳ）、録画制御部４０に録画指示が通知されていない場合（ステップＳ１８においてＮＯ）、又は、ステップＳ１９の再生処理及び録画処理が終了した場合、コンテンツナビゲーション部７０は、コンテンツナビゲーションを終了する（ステップＳ２０）。
【００８９】
〔変形例２〕
本変形例では、テレビ１００は、再生対象コンテンツを選択すると、録画予約を行うか否かの指示、および録画開始条件（例えば、録画を開始する日時である録画予約日時など）の設定を受け付けるための予約録画設定画面を表示するようになっている。そして、テレビ１００は、設定された録画開始条件を満たすと、再生対象コンテンツの再生と録画とを同時に開始するようになっている。
【００９０】
テレビ１００の本変形例に係る動作について図７を参照しながら以下に示す。図７は、テレビ１００の変形例２に係る動作を示すフローチャートである。
【００９１】
なお、Ｓ２１〜Ｓ２６までの動作は、すでに説明した図４のＳ１〜Ｓ６と同様の動作を行うので、説明を省略し、Ｓ２７以降の動作について説明を行うこととする。
【００９２】
再生対象コンテンツが、暗号化されていないと判定された場合（ステップＳ２４においてＮＯ）、又は、コピーネバーでないと判定された場合（ステップＳ２６においてＮＯ）、ユーザインターフェース部６０は、表示部８０に、予約録画確認画面を表示し、録画予約を行うか否かのユーザ指示、および録画予約を行う場合には録画開始条件の設定を受け付ける。（ステップＳ２７）。
【００９３】
ユーザ指示を受け付けると、ユーザインターフェース部６０は、ユーザ指示が録画予約を行う旨の指示（以下、「録画予約指示」と呼称する）であるか否かを判定する（ステップＳ２８）。
【００９４】
録画予約指示であると判定された場合（ステップＳ２８においてＹＥＳ）、ユーザインターフェース部６０は、録画制御部４０に、取得した録画開始条件を通知することによって、録画予約を行う（ステップＳ２９）。
【００９５】
その後、録画制御部４０が録画予約を行った旨をコンテンツナビゲーション部７０に通知すると、コンテンツナビゲーション部７０は、コンテンツナビゲーションを終了する（ステップＳ３０）。
【００９６】
録画制御部４０は、コンテンツナビゲーションが終了した後、録画開始条件が満たされた時に、ＶＯＤプレーヤ部２０に、再生対象コンテンツの録画を開始するよう要求する（ステップＳ３１）。
【００９７】
再生対象コンテンツの録画を開始する要求を受け付けると、ＶＯＤプレーヤ部２０は、再生対象コンテンツの録画処理を行う（ステップＳ３２）。
【００９８】
一方、再生対象コンテンツがコピーネバーであると判定された場合（ステップＳ２６においてＹＥＳ）、又は、録画予約指示でないと判定された場合（ステップＳ２８においてＮＯ）、録画予約を行わずに、コンテンツナビゲーション部７０は、コンテンツナビゲーションを終了する（ステップＳ３３）。
【００９９】
なお、ステップＳ２６においてコピーネバーであると判定された後すぐにコンテンツナビゲーション部７０がコンテンツナビゲーションを終了してもよい。あるいは、ステップＳ２６においてコピーネバーであると判定された後、コンテンツナビゲーション部７０が、ＶＯＤプレーヤ部２０に再生対象コンテンツを再生するよう要求し、ＶＯＤプレーヤ部２０が再生を終了したとの通知を受け付けた後にコンテンツナビゲーションを終了するようにしてもよい。
【０１００】
また、ステップＳ３２において、再生対象コンテンツを録画するだけでなく同時に再生対象コンテンツを再生するようにしてもよい。
【０１０１】
〔変形例３〕
本変形例では、テレビ１００は、録画可能か否かの判定を行う前から録画確認画面の表示を行う。また、録画不可能と判定された場合には、直ちに録画確認画面の表示を録画が不可能である旨の表示に切り替える。
【０１０２】
テレビ１００の変形例３に係る動作について、図１０を参照しながら以下に説明する。図１０は、テレビ１００の変形例３に係る動作例を示すフローチャートである。
【０１０３】
図１０に示すように、コンテンツナビゲーション部７０は、ステップＳ１の処理と同様、ナビゲーション起動指示に従って、コンテンツ選択画面を表示する（ステップＳ４１）。
【０１０４】
次に、ユーザインターフェース部６０は、コンテンツ選択画面に表示されたＶＯＤコンテンツの中から再生対象コンテンツを選択するユーザ指示を受け付ける（ステップＳ４２）。
【０１０５】
ユーザインターフェース部６０は、受け付けたユーザ指示をコンテンツナビゲーション部７０に通知するとともに、表示部８０に録画確認画面を表示する（ステップＳ４３）。
【０１０６】
コンテンツナビゲーション部７０が通知に基づき再生対象コンテンツを再生するようＶＯＤプレーヤ部２０に要求すると、ＶＯＤプレーヤ部２０は、通信部１０を介して再生対象コンテンツに関する再生制御メタファイルを外部のＶＯＤサーバから取得する（ステップＳ４４）。
【０１０７】
再生制御メタファイルを取得すると、ＶＯＤプレーヤ部２０は、取得した再生制御メタファイルに含まれる暗号化識別情報に基づいて、再生対象コンテンツが暗号化されているか否かを判定する（ステップＳ４５）。
【０１０８】
再生対象コンテンツが暗号化されていると判定された場合（ステップＳ４５においてＹＥＳ）、ＶＯＤプレーヤ部２０は、著作権管理部３０にライセンス取得要求を行い、ライセンス取得要求を受け付けた著作権管理部３０は、再生対象コンテンツに関するＶＯＤライセンスを、ステップＳ５で説明した方法と同様の方法で特定したライセンスサーバから取得する（ステップＳ４６）。
【０１０９】
ＶＯＤライセンスを取得すると、著作権管理部３０は、取得したＶＯＤライセンスに含まれるライセンス情報に基づいて、再生対象コンテンツがコピーネバーであるか否かを判定する（ステップＳ４７）。
【０１１０】
再生対象コンテンツが、暗号化されていないと判定された場合（ステップＳ４５においてＮＯ）、又は、コピーネバーでないと判定された場合（ステップＳ４７においてＮＯ）、判定結果を受け付けた録画制御部４０は、ユーザインターフェース部６０が録画指示を受け付けたか録画しない旨の指示を受け付けたかを判定する（ステップＳ４８）。
【０１１１】
録画指示を受け付けたと判定された場合（ステップＳ４８においてＹＥＳ）、録画制御部４０は、ＶＯＤプレーヤ部２０に、再生対象コンテンツの再生および録画を開始する要求を通知し、通知を受けたＶＯＤプレーヤ部２０は、再生対象コンテンツの再生および録画を開始する。（ステップＳ４９）。
【０１１２】
一方、再生対象コンテンツがコピーネバーであると判定された場合（ステップＳ４７においてＹＥＳ）、判定結果を受け付けた録画制御部４０は、ユーザインターフェース部６０に図５の再生選択画面を表示するよう要求し、要求を受けたユーザインターフェース部６０は、表示部８０に再生選択画面を表示する（ステップＳ５０）。
【０１１３】
再生選択画面が表示されると、ユーザインターフェース部６０は、再生対象コンテンツを再生するか否かのユーザ指示を受け付けるまで待機し、ユーザ指示を受け付けると、ユーザ指示が再生する旨の指示であるか再生しない旨の指示であるかを判定する（ステップＳ５１）。
【０１１４】
再生する旨の指示であると判定された場合（ステップＳ５１においてＹＥＳ）、ユーザインターフェース部６０が再生指示をコンテンツナビゲーション部７０に通知し、通知を受けたコンテンツナビゲーション部７０が再生対象コンテンツを再生するようＶＯＤプレーヤ部２０に要求し、要求を受けたＶＯＤプレーヤ部２０は、再生処理を行う（ステップＳ５２）。
【０１１５】
ステップＳ４９の再生処理及び録画処理が終了した場合、録画指示がされない場合（ステップＳ４８においてＮＯ）、再生指示がされない場合（ステップＳ５１においてＮＯ）、又は、ステップＳ５２の再生処理が終了した場合、コンテンツナビゲーション部７０は、コンテンツナビゲーションを終了する（ステップＳ５３）。
【０１１６】
（テレビ１００の利点）
以上のように、テレビ１００では、ユーザインターフェース部６０が、リモコン操作によるＶＯＤコンテンツの再生指示を受け付けると、ＶＯＤコンテンツを録画するか否かをリモコン操作によりユーザが指示することを可能にする録画確認画面（ユーザインターフェース）を表示部８０に表示する。また、ＶＯＤプレーヤ部２０は、ユーザインターフェース部６０が録画する旨の指示を受け付けた場合に、再生対象のＶＯＤコンテンツを記憶部５０に録画する。
【０１１７】
すなわち、テレビ１００は、録画指示以外の指示が契機となって、録画を行うためユーザインターフェースを表示するので、録画操作の煩わしさを軽減することができる。
【０１１８】
（付記事項）
本発明に係るＶＯＤ再生装置の一実施形態であるテレビ１００について説明したが、ＶＯＤ再生装置は、テレビ１００に限定されない。すなわち、ＶＯＤ再生装置は、表示部８０を備えていないレコーダ（例えば、ハードディスクレコーダなど）のようなものであってもよい。
【０１１９】
なお、録画可能であると判定した場合に録画確認画面を表示する動作について説明したが、録画可能であると判定した場合に録画確認画面の表示動作を行うか否かを図９のメニュー画面において設定可能になっていてもよい。すなわち、図９のメニュー画面を表示した状態で、リモコンの操作により、録画確認画面を表示するか／しないか、についての選択指示を行うことが可能になっていてもよい。
【０１２０】
また、図９のメニュー画面で自動録画を行う旨の設定を予めしており、かつ、録画可能であると判定した場合に、コンテンツの再生と同時に自動的に録画を開始する動作（変形例１の動作）を行うものと説明したが、必ずしもこのようになっていなくともよい。すなわち、図９のメニュー画面を設けず、ＶＯＤプレーヤ部２０は、常に再生対象コンテンツを自動的に録画するようにしてもよい。
【０１２１】
（プログラムおよび記録媒体）
最後に、テレビ１００の各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１２２】
すなわち、テレビ１００は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１２３】
この記録媒体は、上述した各機能を実現する制御プログラムのプログラムコード（実行形式プログラム、中間コードプログラム、ソースプログラム）をコンピュータで読み取り可能に記録していればよい。これにより、テレビ１００（またはＣＰＵやＭＰＵ）が、供給された記録媒体に記録されているプログラムコードを読み出し、実行すればよい。
【０１２４】
プログラムコードをテレビ１００に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１２５】
また、テレビ１００は通信ネットワークと接続可能に構成されているため、上記のプログラムコードを、通信ネットワークを介してテレビ１００に供給することができる。この通信ネットワークはテレビ１００にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１２６】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１２７】
本発明は上述した本実施形態に限定されるものではなく、請求項に示した範囲で種々の変更が可能である。
【産業上の利用可能性】
【０１２８】
本発明に係る再生装置は、テレビ、レコーダなどに好適に適用することができる。
【符号の説明】
【０１２９】
１０    通信部
２０    ＶＯＤプレーヤ部（録画手段、自動録画手段）
３０    著作権管理部
４０    録画制御部（判定手段）
５０    記録部（記憶部）
６０    ユーザインターフェース部（表示手段、指示受付手段）
７０    コンテンツナビゲーション部
８０    表示部
１００  テレビ（再生装置）
【図１】
0005490579.tif 000002
【図２】
0005490579.tif 000003
【図３】
0005490579.tif 000004
【図４】
0005490579.tif 000005
【図５】
0005490579.tif 000006
【図６】
0005490579.tif 000007
【図７】
0005490579.tif 000008
【図８】
0005490579.tif 000009
【図９】
0005490579.tif 000010
【図１０】
0005490579.tif 000011